(57)【要約】    【課題】  サイズの異なる生産品への生産者情報等の表示が容易な表示用タグを提供すること。【解決手段】  商品（生産品）の栽培責任者や問合せ先アドレスなどの生産者情報を印刷したタグ本体部２と、タグ本体部２に隣接して設けられ、タグ吊り孔５を備えるとともに、タグ吊り孔５から端縁部にかけてタグ本体部２に対して水平に形成されたスリット６を備えた舌片部３と、舌片部３のタグ吊り孔５に、スリット６を挿通して取り付ける弾性取付け部材４と、を備え、弾性取付け部材４を介して商品に装着して生産者情報を表示する。 【選択図】        図１
2005070378.tif 000002
【特許請求の範囲】
【請求項１】
野菜などの生鮮品や果物などの商品に表示する表示用タグであって、
前記商品の栽培責任者や問合せ先アドレスなどの生産者情報を印刷したタグ本体部と、
このタグ本体部に隣接して設けられ、タグ吊り孔を備えるとともに、このタグ吊り孔から端縁部にかけて前記タグ本体部に対して平行に形成されたスリットを備えた舌片部と、
この舌片部の前記タグ吊り孔に、前記スリットを挿通して取り付ける弾性取付け部材と、
を備え、
前記弾性取付け部材を介して商品に装着して前記生産者情報を表示することを特徴とする表示用タグ。
【請求項２】
前記タグ本体部は、短冊状で、かつ、角丸状としたことを特徴とする請求項１に記載の表示用タグ。
【請求項３】
前記舌片部に隣接し、この舌片部と対称形状を呈する重ね合せ舌片部を設けたことを特徴とする請求項１に記載の表示用タグ。
【請求項４】
前記舌片部の裏面に、剥離紙で覆われた粘着部を形成したことを特徴とする請求項１または３に記載の表示用タグ。
【発明の詳細な説明】
【技術分野】
【０００１】
本発明は、特に、野菜などの生鮮品や果物などの商品の生産者情報を表示するのに好適な表示用タグに関する。
【背景技術】
【０００２】
近年、野菜などの生鮮品や果物などの生産品（商品）を作った生産者が、自信を持って消費者に届けるため、「生産者情報」を表示することが行われるようになってきた。
上記「生産者情報」を表示する形態の一例として、レッテルを使ったものがある（例えば、特許文献１参照）。
この「かぼちゃ用のレッテル」によれば、左右に細長い短冊様のレッテル本体における表面に、商標表示欄や産地表示欄、責任者名などの「生産者情報」を印字し、レッテル本体裏面の一方端部分に設けた付着部を使って、かぼちゃのへたに巻き付けて貼着することにより表示している。
しかしながら、上記レッテルでは、かぼちゃのへたやネギなどの細い部分への貼着・表示は可能なものの、例えば、大根やブロッコリーなどの大型の生産品であると、付着部を大きく取らないと巻き付けきれないばかりか、付着部の粘着剤によって生産品が汚れる心配があり、かつ、ネギなどの水気がある生産品であると剥がれる恐れがあるという問題がある。
【０００３】
この問題を解決するため、付着部（粘着剤）を使用しないで、ひもや切込みの入った穴を備えたラベルに商品名などを印刷して表示する形態が知られている（例えば、特許文献２参照）。
このラベルによれば、穴を挿通したひもを生産物に巻き付けて表示するか（従来技術）、あるいは、穴の切り込みを開いて生産物のへたに取り付けて表示するようになっている。
しかしながら、この従来のラベルであると、穴にひもを通すのが面倒であるばかりか、生産物にひもを巻き付けて長さを調整して表示した後、見栄えを考えるとひもの余った部分を切り取る必要があり、手間が掛かるという問題がある（従来技術）。
また、切込みを開いて生産物のへたに取り付けて表示する形態にあっては、対象とする生産物に見合う大きさの穴を予め作成する必要があり、大根やブロッコリーなどの大型の生産品に表示しようとすると、穴を大きく開けるのと比例してラベル自体の大型化が避けられず、例えば、ブロッコリーの茎に見合う大きさの穴を開けると、生産者情報を表示するラベル全体の大きさがブロッコリーに匹敵するくらいの大きさになりかねないなど、表示する生産物の種類によっては生産物とラベルの大きさのバランスが悪くなり、かつ、ラベルが大型化すると材料のコストも高くなるという問題がある。
【特許文献１】実用新案登録第３０１７０６２号公報
【特許文献２】実開平２−８７２７２号公報
【発明の開示】
【発明が解決しようとする課題】
【０００４】
本発明は、上記の問題点に着目して成されたものであり、サイズの異なる生産品への生産者情報等の表示が容易な表示用タグを提供することを目的とする。
【課題を解決するための手段】
【０００５】
請求項１に記載の表示用タグは、野菜などの生鮮品や果物などの商品に表示する表示用タグであって、前記商品の栽培責任者や問合せ先アドレスなどの生産者情報を印刷したタグ本体部と、このタグ本体部に隣接して設けられ、タグ吊り孔を備えるとともに、このタグ吊り孔から端縁部にかけて前記タグ本体部に対して平行に形成されたスリットを備えた舌片部と、この舌片部の前記タグ吊り孔に、前記スリットを挿通して取り付ける弾性取付け部材と、を備え、前記弾性取付け部材を介して商品に装着して前記生産者情報を表示することを特徴とする。
また、タグ本体部は、短冊状で、かつ、角丸状とすることができる。
また、舌片部に隣接し、この取付け舌片部と対称形状を呈する重ね合せ舌片部を設けるようにできる。
更に、舌片部の裏面に、剥離紙で覆われた粘着部を形成するようにできる。
【発明の効果】
【０００６】
タグ本体部に隣接して設けられた舌片部のスリットを挿通してタグ吊り穴に弾性取付け部材を取り付けるので、タグ吊り孔に対する弾性取付け部材の取り付けが容易であり、かつ、弾性取付け部材を用いて商品に装着して表示するようにしたので、サイズ（太さや大きさ）の異なる商品への表示が容易であるという効果がある。
また、タグ本体部を角丸状とすれば、消費者に対する見栄えが優しい感じでアピールでき、かつ、生鮮品などに表示した際、商品（生鮮品）に対しキズが付きにくくなる。
また、舌片部に隣接し、この舌片部と対称形状を呈する重ね合せ舌片部を設け、舌片部に重ね合せ舌片部を重ね合せるようにすれば、舌片部が二重の重ね合せ構造となるので、太いサイズの商品に弾性取付け部材を装着して舌片部が引っ張られるような状態になっても、丈夫である。
また、舌片部の裏面に、剥離紙で覆われた粘着部を形成すれば、剥離紙により舌片部が二重の重ね合せ構造となるので丈夫であり、また、生産品を使用後、剥離紙を剥がして粘着部を露呈し、この粘着部を冷蔵庫などの扉に貼り付ければ、生産者情報の印刷された表示用タグを残すことができるので、クレーム時の連絡先が身近に表示でき、また、同一生産者からの再購入時の情報として利用できる。
【発明を実施するための最良の形態】
【０００７】
以下、本発明の実施の形態による表示用タグを図１ないし図２に基づき説明する。
【０００８】
図１は、表示用タグの一実施の形態を示す平面説明図であって、表示用タグ１は、タグ本体部２と、舌片部３と、弾性取付け部材４とを備える。
【０００９】
タグ本体部２は、短冊状の角が丸みを帯びた角丸形状となっており、表面には、商品名、生産地情報、問合せ先アドレス、メールアドレス、バーコードなどにより表された「生産者情報」が印刷されている。なお、バーコードには、たとえば、農協で定めた、生産地番号や生産者番号などの「生産者情報」を印刷し、前記メールアドレスより農協のホーム・ページを呼び出して生産地番号や生産者番号を入力することにより、商品（生産品）の生産状況、すなわち、何時の時点で何処から購入した種を使い、かつ、どのような薬品を使って育てたという、トレーサビリティー（追跡）を可能とすることができるようになっている。
舌片部３は、楕円形を横に半分に切ったような形状を呈しており、前記タグ本体部２の上端部に隣接して設けられている。そして、ほぼ中央部位には、小径のタグ吊り孔５が形成されており、このタグ吊り孔５より端縁部にかけてスリット６が形成されている。このスリット６は、前記タグ本体部２に対し平行状態（図示の例では、水平状態）に形成されている。
弾性取付け部材４としては、伸縮自在、かつ、弾性力に富んだ輪ゴムやゴムひもの採用が可能であり、前記舌片部３のスリット６部分を広げて通過させ前記タグ吊り孔５に取り付けができるようになっている。
【００１０】
次に、本発明の表示用タグ１の使用状態につき説明する。
図２（ａ）は、生産品（商品）としての大根７の葉っぱ部分に弾性取付け部材４としての輪ゴムを巻いて装着した状態を示している。
また、図２（ｂ）は、大根７よりサイズが細いブロッコリー８の茎に弾性取付け部材４としての輪ゴムを巻いた状態を示している。
弾性取付け部材４をタグ吊り孔５に取付ける際、舌片部３のスリット６部分を離反する方向に撓ませて広げて挿通する。スリット６を広げて弾性取付け部材４の取り付けができるため、いわゆる、腰の弱い輪ゴムやゴムひものような弾性取付け部材４であってもタグ吊り孔５への取り付けが容易であり、さらに、従来の「糸通し」のような孔への挿通が不要なので、タグ吊り孔５の径は弾性取付け部材４のほぼ断面の太さに見合う小径に止めることができるため、タグ吊り孔５が小さくて済む分、舌片部３の大きさを小さくすることができ、また、タグ吊り孔５が小さい分、舌片部３の端縁部とタグ吊り孔５間の距離が長くなるため、生産品（大根７やブロッコリー８）への装着時に弾性取付け部材４に引っ張り力が加わったとしても、舌片部３は丈夫に保てるものである。
【００１１】
上述したように、伸縮自在な弾性力を備えた弾性取付け部材（輪ゴム）４を使って表示用タグ１を生産品に装着するので、径の異なる生産品への装着・表示が容易であり、かつ、柔軟性があるため、ひもで緊縛して装着する従来例に比し抜け落ち難く、かつ、生産品に対する損傷が少ないものである。
【００１２】
また、タグ本体部２を角丸状としたので、消費者に対する見栄えが優しい感じでアピールでき、かつ、例えば、大根７のような表面にキズが付き易い生産品などに表示した場合あっても、商品（生産品）に対しキズが付きにくいものである。
【００１３】
次に、図３を用いて本発明の第２の実施の形態につき説明する。
なお、先の実施の形態と同様の部分は同一符号を付すに止め、詳説を省略する。
図３の表示用タグ１１は、タグ本体部２と、舌片部３と、重ね合せ舌片部１２と、を備える。
重ね合せ舌片部１２は、舌片部３の上端部に折り曲げ線１３を介して隣接しており、舌片部３とは対称形状とされている。また、この重ね合せ舌片部１２には、舌片部３と同様、タグ吊り孔１４およびスリット１５が形成されており、折り曲げ線１３に沿って重ね合せ舌片部１２を折り曲げて舌片部３に重ね合せた際、舌片部３のタグ吊り孔５およびスリット６と、重ね合せ舌片部１２のタグ吊り孔１４およびスリット１５とが重なる位置に設けられている。したがって、舌片部３と重ね合せ舌片部１２とを重ね合せた状態の「舌片部」に、弾性取付け部材４を取り付ける際、重合したスリット６、１５部分を互いに離反する方向に撓ませて広げて挿通させ、重合したタグ吊り孔５、１４部分に取り付けるものである。
【００１４】
このように、舌片部３に対し重ね合せ舌片部１２を重ね合せることにより、弾性取付け部材４を取り付ける「舌片部」が、舌片部３と重ね合せ舌片部１２との二重の重ね合せ構造となるので、太いサイズの生産品に弾性取付け部材４を装着して「舌片部」が引っ張られるような状態になっても、丈夫なものである。
他の構成、作用、効果は、先の実施の形態とほぼ同様につき、詳説を省略する。
【００１５】
次に、図４および図５を用いて本発明の第３の実施の形態につき説明する。
なお、先の実施の形態と同様の部分は同一符号を付すに止め、詳説を省略する。
図４は、表示用タグ２１の平面説明図、図５は、図４中、矢示Ｖ−Ｖに沿う概略断面図である。
表示用タグ２１は、タグ本体部２と、舌片部２３と、弾性取付け部材４と、舌片部２３の裏面に形成した粘着部２２と、この粘着部２２の表面を覆う剥離紙２４と、を備える。
剥離紙２４には、舌片部２３のタグ吊り孔５およびスリット６に対応する位置に、図示省略の「タグ吊り孔」および「スリット」が形成されている。したがって、舌片部２３に弾性取付け部材４を取り付ける際、スリット６を互いに離反する方向に撓ませて広げると、舌片部２３の裏面に粘着部２２を介して貼り付けられた剥離紙２４のスリット（図示省略）も広がるので、弾性取付け部材４のタグ吊り孔５に対する取付けが容易であり、かつ、舌片部２３が、裏面に粘着部２２を介して覆われた剥離紙２４との二重構造となるので、太いサイズの生産品に弾性取付け部材４を装着して「舌片部」が引っ張られるような状態になっても、丈夫なものである。
また、本実施の形態の表示用タグ２１が装着された生産品を消費者が購入後、通常であると捨ててしまうか、あるいは、取っておこうとしても何処かに紛れて紛失することが考えられるが、舌片部３の裏面の剥離紙２４を剥がすと粘着部２２が露呈するため、この粘着部２２を介して、例えば、冷蔵庫などの扉に貼り付けることにより、生産者情報の印刷された表示用タグ２１を残せるとともに、クレーム時の連絡先が身近に表示でき、さらに、同一生産者からの再購入時の情報として表示・利用できるものである。
他の構成、作用、効果は、先の実施の形態とほぼ同様につき、詳説を省略する。
【００１６】
なお、上記実施の形態の構成及び動作は例であって、本発明の趣旨を逸脱しない範囲で適宜変更することができることは言うまでもない。
例えば、舌片部３に対し重ね合せ舌片部１２を重ね合せた際の二重構造をより強固とするため、粘着剤などを用いて舌片部３に対し重ね合せ舌片部１２を貼り合せることも可能である。        
【００１７】
さらに、「タグ本体」および「舌片部」の使用原紙は、例えば、合成紙を採用可能であり、また、少なくとも「タグ本体」の表面をラミネート加工することも可能である。表面をラミネート加工することにより、見映えを良くするため、例えば、霧吹きなどで水分を与える生産品であっても「タグ本体」の汚れや損傷が最小限に止められる。
【図面の簡単な説明】
【００１８】
【図１】本発明の一実施の形態による表示用タグの平面説明図である。
【図２】同、使用状態を示す説明図である。
【図３】本発明の第２の実施の形態による表示用タグの平面説明図である。
【図４】本発明の第３の実施の形態による表示用タグの平面説明図である。
【図５】図４中の矢示Ｖ−Ｖ線に沿う概略断面図である。
【符号の説明】
【００１９】
１    表示用タグ（第１の実施の形態）
２    タグ本体部
３    舌片部
４    弾性取付け部材
５    タグ吊り孔
６    スリット
７    大根（生産品、商品）
８    ブロッコリー（生産品、商品）
１１  表示用タグ（第２の実施の形態）
１２  重ね合せ舌片部
１３  折り曲げ線
１４  タグ吊り孔
１５  スリット
２１  表示用タグ（第３の実施の形態）
２２  粘着部
２３  舌片部
２４  剥離紙
【図１】
2005070378.tif 000003
【図２】
2005070378.tif 000004
【図３】
2005070378.tif 000005
【図４】
2005070378.tif 000006
【図５】
2005070378.tif 000007